(57)【要約】【課題】センサモードと調光モードとの間の移行期間で不自然な動作が行われることを抑制することができる照度センサおよび照明システムを提供する。【解決手段】照度センサ１０の制御部１５は、照明器具５０に指示を与えるコントローラ３０が出力する制御信号のデューティ比が第１の範囲の場合に、受光部１７の周囲の明るさを示す信号に基づいて照明器具５０の調光率を制御するセンサモードで動作する。さらに、制御部１５は、照明器具５０に指示を与えるコントローラ３０が出力する制御信号のデューティ比が第１の範囲と異なる第２の範囲の場合に、制御信号に基づく明るさになるように、照明器具５０の調光率を制御する調光モードで動作する。そして、制御部１５は、調光モードとセンサモードとの間で移行する移行期間である場合に、照明器具５０の調光率を変化させない。【選択図】図４
2018120680.tif 000002
【特許請求の範囲】
【請求項１】
コントローラからの指示および周囲の明るさに基づいて、照明器具の調光率を制御する照度センサであって、
周囲の明るさを検知する受光部と、
前記照明器具に与える前記コントローラからの指示および前記受光部から周囲の明るさを示す信号を受信する受信部と、
前記受信部が受信した前記コントローラからの指示および前記周囲の明るさを示す信号に基づいて、前記照明器具の調光率を制御する制御部とを備え、
前記制御部は、
前記コントローラが出力する制御信号のデューティ比が第１の範囲の場合に、前記受光部の前記周囲の明るさを示す信号に基づいて前記照明器具の調光率を制御するセンサモードで動作し、
前記照明器具に指示を与える前記コントローラが出力する前記制御信号のデューティ比が前記第１の範囲と異なる第２の範囲の場合に、前記制御信号に基づく明るさになるように、前記照明器具の調光率を制御する調光モードで動作し、
前記調光モードと前記センサモードとの間で移行する移行期間である場合に、前記照明器具の調光率を変化させない
照度センサ。
【請求項２】
前記制御部は、前記移行期間において、前記制御信号のデューティ比が所定速度以上で変化している場合に、前記照明器具の調光率を変化させない
請求項１に記載の照度センサ。
【請求項３】
前記制御部は、
前記調光モードにおいて前記コントローラが調光率を変化させる場合に、前記コントローラの変化に応じた速度で前記照明器具の調光率を変化させ、
前記センサモードと前記調光モードとの間で移行する場合に、前記照明器具の調光率を、前記移行期間経過時に応じた調光率に切換える
請求項１又は２に記載の照度センサ。
【請求項４】
前記制御部は、前記調光モードと前記センサモードとの間で移行した場合に、前記制御信号のデューティ比が所定期間以上、安定していれば、前記制御信号に基づく調光率で前記照明器具を点灯させる
請求項１〜３のいずれか１項に記載の照度センサ。
【請求項５】
前記受光部は、前記制御信号を平滑化する平滑部である
請求項１〜４のいずれか１項に記載の照度センサ。
【請求項６】
照明器具と、
前記照明器具に制御信号を与えるコントローラと、
請求項１〜５のいずれか１項に記載の照度センサとを備えた
照明システム。
【発明の詳細な説明】
【技術分野】
【０００１】
本発明は、照度センサおよび照度センサを用いた照明システムに関する。
【背景技術】
【０００２】
従来、周囲の明るさを検出し検出結果を出力する明かりセンサ（照度センサの一例）が開示されている（例えば特許文献１参照）。この明かりセンサが出力した検出結果と予め設定された目標値との比較結果に基づき、照明負荷（照明器具の一例）の明るさが調節される。また、照明負荷は、リモコン（コントローラの一例）から操作指示又は設定変更操作するリモコン信号を受信し、明るさが調節される。
【先行技術文献】
【特許文献】
【０００３】
【特許文献１】特開２００２−３６７７８８号公報
【発明の概要】
【発明が解決しようとする課題】
【０００４】
しかしながら、コントローラにより照明器具の調光率を変更するモードと、照度センサにより照明器具の調光率を変更するモードとの間でモードを移行する際に、一旦、照明器具が明るくなってからコントローラ又は照度センサによって制御される調光率に基づいた明るさとなってしまう。このため、使用者は、移行時に照明器具が不自然な動きをするように感じてしまう。
【０００５】
そこで、このような不自然な動きを行わないように、照度センサとコントローラとを別々の信号線で照明器具と接続すればこのような問題は解消されるとも考えられるが、信号線の増加により、製造コストが高騰してしまう。
【０００６】
本発明は、センサモードと調光モードとの間の移行期間で不自然な動作が行われることを抑制することができる照度センサおよび照明システムを提供することを目的とする。
【課題を解決するための手段】
【０００７】
上記目的を達成するため、本発明の一態様に係る照度センサは、コントローラからの指示および周囲の明るさに基づいて、照明器具の調光率を制御する照度センサであって、周囲の明るさを検知する受光部と、前記照明器具に与える前記コントローラからの指示および前記受光部から周囲の明るさを示す信号を受信する受信部と、前記受信部が受信した前記コントローラからの指示および前記周囲の明るさを示す信号に基づいて、前記照明器具の調光率を制御する制御部とを備え、前記制御部は、前記コントローラが出力する制御信号のデューティ比が第１の範囲の場合に、前記受光部の前記周囲の明るさを示す信号に基づいて前記照明器具の調光率を制御するセンサモードで動作し、前記照明器具に指示を与える前記コントローラが出力する前記制御信号のデューティ比が前記第１の範囲と異なる第２の範囲の場合に、前記制御信号に基づく明るさになるように、前記照明器具の調光率を制御する調光モードで動作し、前記調光モードと前記センサモードとの間で移行する移行期間である場合に、前記照明器具の調光率を変化させない。
【０００８】
また、上記目的を達成するため、本発明の一態様に係る照明システムは、照明器具と、前記照明器具に制御信号を与えるコントローラと、照度センサとを備えた。
【発明の効果】
【０００９】
本発明によれば、センサモードと調光モードとの間の移行期間で不自然な動作が行われることを抑制することができる。
【図面の簡単な説明】
【００１０】
【図１】図１は、実施の形態に係る照明システムを示すブロック図である。
【図２】図２は、実施の形態に係る照明システムの制御信号と調光率との関係を示す説明図である。
【図３】図３は、実施の形態に係る照明システムのセンサモードと調光モードとにおける照明器具の明るさと制御信号のデューティ比との関係を示す説明図である。
【図４】図４は、実施の形態に係る照明システムの動作を示すフローチャートである。
【図５】図５は、変形例に係る照明システムを示すブロック図である。
【発明を実施するための形態】
【００１１】
（本発明の基礎となった知見）
従来の照明システムでは、周囲の明るさを検知する照度センサにより、照明器具の調光率を制御している。具体的には、照度センサは、基準となる明るさを記憶しておき、基準となる明るさと現在の明るさとを比較し、現在の明るさの方が明るい場合に照明器具の調光率を下げ、現在の明るさの方が暗い場合に照明器具の調光率を上げる。このように、照度センサの指示により動作するモードをセンサモードと呼ぶこととする。
【００１２】
また、この照度センサは、コントローラからの指示がある場合に、周囲の明るさに関係なく指示された調光率で照明器具を制御する。このように、コントローラの指示により動作するモードを調光モードと呼ぶこととする。
【００１３】
コントローラによる照明制御は、ＰＷＭ（Ｐｕｌｓｅ  Ｗｉｄｔｈ  Ｍｏｄｕｌａｔｉｏｎ）制御で行われ、制御信号（ＰＷＭ調光信号）に応じて指示する調光率が決定されている。このような照明システムでは、例えば、調光率の指示がない場合に制御信号のデューティ比が０％となり、制御信号のデューティ比が５％の場合に調光率が１００％となり、制御信号のデューティ比が５０％の場合に調光率が５０％となり、制御信号のデューティ比が１００％の場合に調光率が０％となるように設定されている。この場合、制御信号のデューティ比が０％付近でセンサモードとなり、制御信号のデューティ比が５％〜１００％で調光モードとなる。
【００１４】
例えば調光モードにおいて照明器具が調光率５０％で動作している場合、調光モードからセンサモードに移行しようとすると、調光率１００％を経由してセンサモードの指示による調光率で照明器具が制御される。つまり、センサモードと調光モードとの間でモードを移行する際に、一旦、照明器具が明るくなってからコントローラ又は照度センサによって制御される調光率に基づいた明るさとなる。このため、使用者は、移行期間に照明器具が不自然な動きをするように感じてしまう。
【００１５】
これは、コントローラと照度センサとが１本の信号線で接続されているため、このような動作が行われる。そこで、このような不自然な動きを行わないように、照度センサとコントローラとを別々の信号線で照明器具と接続すればこのような問題は解消されるとも考えられるが、信号線の増加により、製造コストが高騰してしまう。
【００１６】
このため、信号線を増やすことなく、センサモードと調光モードとの間の移行期間で不自然な動作が行われることを抑制することができる照度センサおよび照明システムが求められている。
【００１７】
以下、本発明の実施の形態について、図面を参照しながら説明する。以下に説明する実施の形態は、いずれも本発明の好ましい一具体例を示すものである。したがって、以下の実施の形態で示される数値、形状、材料、構成要素、構成要素の配置位置および接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１８】
なお、各図は、模式図であり、必ずしも厳密に図示されたものではない。また、各図において、実質的に同一の構成に対しては同一の符号を付しており、重複する説明は省略又は簡略化する。
【００１９】
以下、本発明の実施の形態に係る照度センサおよび照明システムについて説明する。
【００２０】
（実施の形態）
［構成］
まず、本実施の形態に係る照度センサ１０および照明システム１の構成について説明する。
【００２１】
図１は、実施の形態に係る照明システム１を示すブロック図である。
【００２２】
図１に示すように、照明システム１は、コントローラ３０と、照度センサ１０と、照明器具５０とを備える。
【００２３】
コントローラ３０は、照明器具５０の調光率（明るさ）を調節する制御信号を、照度センサ１０を介して照明器具５０に送信する装置であり、主に使用者が手動で操作して照明器具５０の調光率を変更することができる装置である。例えば、コントローラ３０は、壁等の造営材に取付けられているダイヤル式、スライド式等のコントローラ３０でもよい。本実施の形態では、コントローラ３０は、信号線を介して照度センサ１０と接続されている。ここで、制御信号には、照明器具５０に調光率を制御する指示を与える信号が含まれる。
【００２４】
照度センサ１０は、周囲の明るさを検知し、コントローラ３０からの指示および検知した周囲の明るさに基づいて、照明器具５０の調光率を制御するセンサである。
【００２５】
照度センサ１０は、平滑部１３（受信部の一例）と、制御部１５とを有する。本実施の形態では、照度センサ１０が平滑部１３と、制御部１５とを有するが、これには限定されない。
【００２６】
平滑部１３は、照明器具５０に与えるコントローラ３０からの指示および後述する照度センサ１０の受光部１７から周囲の明るさを示す信号を受信する装置である。平滑部１３は、コントローラ３０から受信した制御信号を平滑化する。平滑部１３は、一定の直流電流に変換した制御信号を制御部１５に入力する。平滑部１３は、例えば、平滑回路でもよく、制御信号を平滑化するプログラムでもよい。
【００２７】
制御部１５は、平滑部１３が受信したコントローラ３０からの指示および周囲の明るさを示す信号に基づいて、照明器具５０の調光率を制御する。つまり、制御部１５は、コントローラ３０から受信した制御信号を照明器具５０に送信して照明器具５０の調光率を制御したり、照度センサ１０が有する照明器具５０における基準となる明るさ等の制御データを処理して照明器具５０の調光率を制御したりする機能を有する。制御部１５は、例えば、マイコンで構成されている。
【００２８】
照度センサ１０には、予め基準となる明るさが記憶されている。制御部１５は、この基準となる明るさと現在の明るさとを比較し、現在の明るさの方が明るい場合に照明器具５０の調光率を下げたり、現在の明るさの方が暗い場合に照明器具５０の調光率を上げたりする。
【００２９】
制御部１５は、センサモードと、調光モードと有する。
【００３０】
制御部１５は、周囲の明るさに基づいた制御信号を照明器具５０に送信し、照明器具５０の調光率を制御するセンサモードで動作する。具体的には、制御部１５は、コントローラ３０が出力する制御信号のデューティ比が第１の範囲の場合に、平滑部１３の明るさを示す信号に基づいて照明器具５０の調光率を制御するセンサモードで動作する。つまり、制御部１５は、センサモードの場合に、周囲の明るさに基づいて、照明器具５０の調光率を自動で変更する。ここで、第１の範囲は、本実施の形態では、後述する制御信号のデューティ比が０％〜２％までの場合である。
【００３１】
また、制御部１５は、センサモードが選択されているか否かを判断することができる。制御部１５は、コントローラ３０が出力する制御信号のデューティ比が第１の範囲であればセンサモードが選択されていると判断する。
【００３２】
制御部１５は、照明器具５０に指示を与えるコントローラ３０が出力する制御信号のデューティ比が第１の範囲と異なる第２の範囲である場合に、制御信号に基づく明るさになるように、照明器具５０の調光率を制御する調光モードで動作する。制御部１５は、調光モードの場合に、コントローラ３０の制御信号に基づいて、照明器具５０の調光率を変更する。ここで、第２の範囲は、本実施の形態では、後述する制御信号のデューティ比が５％〜１００％までの場合である。
【００３３】
また、制御部１５は、調光モードが選択されているか否かを判断することができる。制御部１５は、コントローラ３０が出力する制御信号のデューティ比が第１の範囲と異なる第２の範囲であればセンサモードが選択されていると判断する。
【００３４】
図２は、実施の形態に係る照明システム１の制御信号と調光率との関係を示す説明図である。
【００３５】
図１および図２に示すように、制御信号は、照明器具５０に制御信号を与えるＰＷＭ調光信号のデューティ比で表される。例えば、調光モードにおいて、照明器具５０は、制御信号のデューティ比が９９％〜１００％までの場合に調光率が約０％で制御され、制御信号のデューティ比が５０％の場合に調光率が５０％で制御され、制御信号のデューティ比が約５％の場合に調光率が約１００％で制御される。また、制御信号のデューティ比が０％〜２％までの場合では、センサモードとなる。
【００３６】
図３は、実施の形態に係る照明システム１のセンサモードと調光モードとにおける照明器具５０の明るさと制御信号のデューティ比との関係を示す説明図である。図３では、センサモードで動作する際に、照明器具５０の明るさが周囲の明るさにより変化するため、照明器具５０の明るさを示すグラフを斜線で示している。
【００３７】
図１および図３に示すように、調光率が０％の場合に照明器具５０が消灯し、調光率が１００％の場合に照明器具５０が全灯（定格最大光量での点灯）する。調光モードでは、調光率が０％〜１００％までが、制御信号のデューティ比が１００％〜５％までで示される。調光率は、コントローラ３０によって変更することができる。
【００３８】
この照明システム１では、調光モードとセンサモードとの間でモードを移行する場合、コントローラ３０を操作すると、調光率１００％となる全灯部分を必ず経由する。つまり、この照明システム１では、コントローラ３０の操作により調光率１００％を超えた先に、調光モードとセンサモードとの間で移行する移行期間が存在する。照度センサ１０の制御部１５は、調光モードとセンサモードとの間で移行する移行期間である場合に、照明器具５０の調光率を変化させない。移行期間とは、調光モードとセンサモードとの間で移行する期間であり、移行開始時から移行終了時までの間の期間であり、例えば、調光モードとセンサモードとの間で移行する場合において、コントローラ３０の操作開始時から操作終了時までの期間である。
【００３９】
制御部１５は、センサモードと調光モードとの間で移行する場合に、照明器具５０の調光率を、移行期間経過時の調光率（移行期間経過時に設定されている調光率）に切換える。具体的には、制御部１５は、モードの移行開始時から移行終了時まで、照明器具５０の調光率を変化させず、モードの移行終了時に、モードの移行開始時の調光率からモードの移行終了時の調光率に急激に切換わる。
【００４０】
具体的には、制御部１５は、制御信号のデューティ比が所定速度以上で変化している場合に、照明器具５０の調光率を移行期間中に変化させないように制御する。制御信号のデューティ比が所定速度以上で変化している場合に、調光モードとセンサモードとの間で移行する移行期間となる可能性があるため、制御部１５は、調光率１００％となる全灯を行わないように、移行期間中において照明器具５０の調光率を変化させない。
【００４１】
また、制御部１５は、制御信号のデューティ比が所定速度未満で変化している場合に、照明器具５０の調光率を変化させるように制御する。つまり、制御信号のデューティ比が所定速度未満で変化している場合に、制御部１５は、制御信号に応じた調光率で照明器具５０を制御する。
【００４２】
制御信号のデューティ比が所定速度以上であるか否かの判断は、例えば、デューティ比を時間的に平均化して読み取る。具体的には、制御部１５は、例えば、０．１秒間の間にデューティ比が１０％以上変化した場合に、制御信号のデューティ比が所定速度以上で変化していると判断し、０．１秒間の間にデューティ比が１０％未満の変化になれば、制御信号のデューティ比が所定速度未満で変化していると判断して、制御信号に応じた調光率で照明器具５０を制御する。
【００４３】
制御信号のデューティ比が所定速度未満で変化している場合において、調光モードにおいてコントローラ３０が単に調光率を変化させる場合に、制御部１５は、照明器具５０の調光率を、コントローラ３０が変化させる調光率に応じた速度で変化させる。つまり、調光モードにおいて調光率が変化する場合に、制御部１５は、制御信号のデューティ比に応じて、照明器具５０の調光率を変化させる。
【００４４】
調光モードとセンサモードとの間で移行した場合に、制御部１５は、制御信号のデューティ比が所定期間以上、安定しているか否かを判断し、所定期間以上、安定していれば、制御信号に基づく調光率で照明器具５０を点灯させる。具体的には、制御部１５は、制御信号のデューティ比が所定期間以上、安定していれば、移行期間が経過したと判断し、制御信号に基づく調光率で照明器具５０を点灯する。
【００４５】
なお、モードが移行しなくても、制御信号のデューティ比が所定速度以上で変化している場合において、制御信号のデューティ比が所定期間以上、安定すれば、操作開始時の調光率から操作終了時の調光率に急激に切換えてもよい。
【００４６】
以下、照明システム１の動作について、図４を用いて説明する。
【００４７】
図４は、実施の形態に係る照明システム１の動作を示すフローチャートである。図４では、一例として、センサモードにいる状態から調光モードに移行する場合について説明する。
【００４８】
まず、使用者がコントローラ３０を操作してセンサモードにいる状態から調光モードに移行させた場合に、この移行期間において、制御部１５は、コントローラ３０が制御信号のデューティ比を所定速度以上で変化しているか否かを判断する（Ｓ１）。
【００４９】
コントローラ３０が制御信号のデューティ比が所定速度以上で変化していると、制御部１５が判断した場合（Ｓ１ではＹＥＳ）に、制御部１５は、コントローラ３０から送信される制御信号に基づいて照明器具５０の調光率を移行期間中に変化させない（Ｓ２）。
【００５０】
一方、コントローラ３０が制御信号のデューティ比が所定速度未満で変化していると、制御部１５が判断した場合（Ｓ１ではＮＯ）に、制御部１５は、コントローラ３０から送信される制御信号に基づいて照明器具５０の調光率を変化させる（Ｓ５）。この場合、制御部１５は、調光モードにおいてコントローラ３０が調光率を変化させる場合に、コントローラ３０の変化に応じた速度で照明器具５０の調光率を変化させる。
【００５１】
次に、制御部１５は、制御信号のデューティ比が所定期間以上、安定しているか否かを判断する（Ｓ３）。言い換えれば、制御部１５は、移行期間終了時から所定期間が経過しているか否かを判断する。
【００５２】
制御信号のデューティ比が所定期間以上、安定していると制御部１５が判断した場合（Ｓ３ではＹＥＳ）に、使用者がコントローラ３０の操作を終了したと考えられるため、次のステップに進む。
【００５３】
一方、制御信号のデューティ比が所定期間以上、安定していないと制御部１５が判断した場合（Ｓ３ではＮＯ）に、制御信号に基づく調光率で照明器具５０を制御しない。そして、ステップＳ３に戻り、制御信号のデューティ比が所定期間以上安定するまで同様の判断を行う。
【００５４】
次に、センサモードから調光モードに移行するため、制御部１５は、照明器具５０の調光率を、移行期間経過時の調光率に切換える（Ｓ４）。つまり、制御部１５は、モードの移行開始時から終了時までの照明器具５０の調光率を変化させず、モードの移行終了時の調光率に変化させる。このため、照明器具５０は、モードの移行終了時に、モードの移行開始時の調光率からモードの移行終了時の調光率に急激に切換わる。そして、このフローは終了する。
【００５５】
なお、センサモードから調光モードに移行する場合でも同様の動作が行われる。
【００５６】
また、調光モードにおいて単に調光率が変化する場合でも同様の動作が行われる。この場合では、モードの移行が行われないものの、ステップＳ１で制御信号のデューティ比が所定の速度以上で変化していれば、調光率の変化開始時から調光率の変化終了時までの間、照明器具５０の調光率が変更されなくてもよい。ここでも、ステップＳ４と同様に、変化終了時に照明器具５０の調光率が急激に切換る。
【００５７】
このような照度センサ１０および照明システム１では、センサモードと調光モードとに移行する移行期間において、照明器具５０の調光率を変化させないことで、調光率１００％となる全灯を行わないように、制御部１５が照明器具５０を制御する。
【００５８】
［作用効果］
次に、本実施の形態における照度センサ１０および照明システム１の作用効果について説明する。
【００５９】
上述したように、本実施の形態に係る照度センサ１０は、コントローラ３０からの指示および周囲の明るさに基づいて、照明器具５０の調光率を制御する。照度センサ１０は、周囲の明るさを検知する受光部１７と、照明器具５０に与えるコントローラ３０からの指示および受光部１７から周囲の明るさを示す信号を受信する受信部と、受信部が受信したコントローラ３０からの指示および周囲の明るさを示す信号に基づいて、照明器具５０の調光率を制御する制御部１５とを備える。また、制御部１５は、照明器具５０に指示を与えるコントローラ３０が出力する制御信号のデューティ比が第１の範囲の場合に、受光部１７の周囲の明るさを示す信号に基づいて照明器具５０の調光率を制御するセンサモードで動作する。さらに、制御部１５は、コントローラ３０が出力する制御信号のデューティ比が第１の範囲と異なる第２の範囲の場合に、制御信号に基づく明るさになるように、照明器具５０の調光率を制御する調光モードで動作する。そして、制御部１５は、調光モードとセンサモードとの間で移行する移行期間である場合に、照明器具５０の調光率を変化させない。
【００６０】
このように、照度センサ１０では、制御部１５が受光部１７の明るさを示す信号に基づいて照明器具５０の調光率を制御するセンサモードと、制御部１５が制御信号に基づく明るさになるように照明器具５０の調光率を制御する調光モードとで動作する。また、照度センサ１０では、調光モードとセンサモードとの間で移行する移行期間である場合に、制御部１５が照明器具５０の調光率を変化させない。このため、これらのモードを移行する際に、照明器具５０が調光率１００％を経由してから、制御信号に基づく調光率で照明器具５０が点灯するといった不自然な動作が行われ難くすることができる。
【００６１】
したがって、センサモードと調光モードとの間の移行期間で不自然な動作が行われることを抑制することができる。
【００６２】
特に、使用者は、モードの移行時に照明器具５０の不自然な動きによる違和感を使用者に与え難くなる。このため、自然な照明環境を提供することができる。
【００６３】
また、本実施の形態に係る照明システム１は、照明器具５０と、照明器具５０に制御信号を与えるコントローラ３０と、照度センサ１０とを備える。
【００６４】
これにおいても、照度センサ１０と同様の作用効果を奏する。
【００６５】
また、本実施の形態に係る照度センサ１０において、制御部１５は、移行期間において、制御信号のデューティ比が所定速度以上で変化している場合に、照明器具５０の調光率を変化させない。
【００６６】
これによれば、制御信号のデューティ比が所定速度以上で変化していれば、移行期間中に照明器具５０の調光率を変化させないため、センサモードと調光モードとの間の移行期間で不自然な動作がより行われ難くなる。
【００６７】
また、本実施の形態に係る照度センサ１０において、制御部１５は、調光モードにおいてコントローラ３０が調光率を変化させる場合に、コントローラ３０の変化に応じた速度で照明器具５０の調光率を変化させる。そして、制御部１５は、センサモードと調光モードとの間で移行する場合に、照明器具５０の調光率を、移行期間経過時に応じた調光率に切換える。
【００６８】
このように、調光モードでは、コントローラ３０の変化に応じた速度で制御部１５が照明器具５０の調光率を変化させる。また、センサモードと調光モードとの間で移行する場合に、制御部１５が移行期間中に調光率を変化させずに、移行期間経過時に応じた調光率に切換えるため、照明器具５０の調光率が急激に変化する。このため、照明器具５０が調光率１００％を経由することなく照明器具５０の調光率が変化するため、モードの移行時による照明器具５０の不自然な動作がより行われ難くなる。
【００６９】
また、本実施の形態に係る照度センサ１０において、制御部１５は、調光モードとセンサモードとの間で移行した場合に、制御信号のデューティ比が所定期間以上、安定していれば、制御信号に基づく調光率で照明器具５０を点灯させる。
【００７０】
このように、制御信号のデューティ比が所定期間以上、安定していれば、制御部１５は、移行期間が経過したと判断することができるため、より確実に、移行期間中に照明器具５０の不自然な動作がより行われ難くなる。
【００７１】
また、本実施の形態に係る照度センサ１０において、受光部１７は、制御信号を平滑化する平滑部１３である。
【００７２】
これによれば、照度センサ１０を具体化することができる。
【００７３】
（その他変形例等）
以上、本発明について、実施の形態に基づいて説明したが、本発明は、上記実施の形態に限定されるものではない。
【００７４】
例えば、上記実施の形態において、照度センサに平滑部および制御部が設けられているが、これに限定されず、コントローラに平滑部および制御部が設けられていてもよい。
【００７５】
また、上記実施の形態において、照明システムは、図５に示すように、複数の装置１０２を介して照度センサ１０に制御信号が入力される構成であってもよい。図５は、変形例に係る照明システム１００を示すブロック図である。例えば、照明システム１００は、照度センサ１０および照明器具５０の他に、コントローラ１０１と、複数の装置１０２と、変換器１０３とを備える。装置１０２は、例えば、タブレット等の端末機器等である。コントローラ１０１は、制御信号を複数の装置１０２を介して変換器１０４に送信する。変換器１０４は、デジタルをＰＷＭ調光信号に変換することができる装置１０２であり、変換した信号を照度センサ１０を介して照明器具５０に送信する。このように、複数の装置１０２を介しても、この照明システム１００では、センサモードと調光モードとの間の移行期間で照明器具５０が明るくなってしまうことを抑制することができる。
【００７６】
また、上記実施の形態において、照度センサには１つの照明器具が接続されているが、複数の照明器具が接続されていてもよい。この場合、コントローラ又は照明器具は、複数の照明器具の調光率を制御してもよい。
【００７７】
また、上記実施の形態において、照度センサには、起動中、停止中、障害発生中等の状態を報知する表示ランプが設けられていてもよい。
【００７８】
以上、本発明の一つまたは複数の態様について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の一つまたは複数の態様の範囲内に含まれてもよい。
【符号の説明】
【００７９】
１、１００  照明システム
１０  照度センサ
１３  平滑部（受信部）
１５  制御部
１７  受光部
３０、１０１  コントローラ
５０  照明器具
【図１】
2018120680.tif 000003
【図２】
2018120680.tif 000004
【図３】
2018120680.tif 000005
【図４】
2018120680.tif 000006
【図５】
2018120680.tif 000007